(57)【要約】【課題】内部に滞留する飲み残し（残渣）の発生量を確実に低下させることができるペットボトルを提供する。【解決手段】ペットボトル１は、筒状の内壁面を有し、飲料物を収納する胴部５と、飲料物を流出させる飲み口として、胴部５の上部に内壁面に連続して設けられた、胴部５の径よりも小さな径を有する筒状の首部７と、を備え、飲料物を飲む際に内壁面から首部７の母線を経由して外部に至る飲料物の流路の谷線（５ａ１〜７ａ１〜７ｂ１）の、胴部５の軸線からの半径距離ｒの変化率（ｄｒ／ｄｘ）が、軸線の方向に沿って零以上にすることができる。【選択図】  図１
2017128376.tif 000002
【特許請求の範囲】
【請求項１】
筒状の内壁面を有する胴部と、
前記内壁面の上端に連続して、前記胴部の内部に収納された飲料物を外部に流出させるための飲み口として設けられた、前記胴部の径よりも小さな径を有する筒状の首部と、を備え、
前記飲料物を飲む際に前記内壁面から前記首部の母線に連続する前記飲料物の流路の谷線の、前記胴部の軸線からの半径距離の、前記胴部の下部から前記飲み口の開放端に設けられる終点に向かう軸線方向に沿った位置に対する変化率が、零以上にすることができることを特徴とするペットボトル。
【請求項２】
前記首部の軸線が前記胴部の軸線と角度をなして傾斜するように前記首部が前記胴部に設けられ、前記胴部の下部と前記終点の間で前記変化率が正の値をなす領域が１箇所以上形成されたことを特徴とする請求項１に記載のペットボトル。
【請求項３】
前記首部の軸線が前記胴部の軸線と平行であるように前記首部が前記胴部に設けられ、前記胴部の下部と前記終点の間の前記変化率は零のみであることを特徴とする請求項１に記載のペットボトル。
【発明の詳細な説明】
【技術分野】
【０００１】
本発明はペットボトルを傾けて飲み終わった後に、ペットボトルの内部に滞留する飲み残し（残渣）の少ないペットボトルに関する。
【背景技術】
【０００２】
ペットボトルの内部に収納された飲料物を飲む際、最後まで飲み易くしたペットボトルとしては、ペットボトルの飲み口を、容器本体の中心部から外側に偏心させて容器本体に設ける技術が知られている（特許文献１参照。）。
しかしながら、特許文献１のペットボトルの内部には、容器本体から飲み口に移行する位置に、飲料物の流動に抗するような段差（凹部）が形成され、この段差がペットボトルを飲み口が下側に向くように傾けた際に外部に流れ出ようとする飲料物を堰き止める堤をなし、僅かな量ではあるものの、ペットボトルの内部に残渣が滞留し、資源の無駄となる。更に、ペットボトルの内部に滞留した残渣は、たとえ量が僅かであっても、飲み終わったペットボトルの集積場や保管場所での悪臭の原因となる。又、残渣中の糖分が、昆虫や小動物を引き寄せる原因となる場合もあるため、衛生上の問題も生じる。
【先行技術文献】
【特許文献】
【０００３】
【特許文献１】登録実用新案第３１０３３８７号公報
【発明の概要】
【発明が解決しようとする課題】
【０００４】
本発明は上記の問題に着目して為されたものであって、内部に滞留する飲み残し（残渣）の発生量を確実に低下させることができるペットボトルを提供することを目的とする。
【課題を解決するための手段】
【０００５】
上記目的を達成するために、本発明に係るペットボトルのある態様は、筒状の内壁面を有する胴部と、内壁面の上端に連続して、胴部の内部に収納された飲料物を外部に流出させるための飲み口として設けられた、胴部の径よりも小さな径を有する筒状の首部と、を備え、飲料物を飲む際に内壁面から首部の母線に連続する飲料物の流路の谷線の、胴部の軸線からの半径距離の、胴部の下部から飲み口の開放端に設けられる終点に向かう軸線方向に沿った位置に対する変化率が、零以上にすることができることを要旨とする。
【発明の効果】
【０００６】
本発明に係るペットボトルによれば、内部に滞留する飲み残し（残渣）の発生量を確実に低下させることができる。
【図面の簡単な説明】
【０００７】
【図１】第１の実施の形態に係るペットボトルの構成の概略を模式的に説明する、容器本体の軸線と飲料物の流路とを含む平面で断面した断面図である。
【図２】第１の実施の形態に係るペットボトルを模式的に説明する鳥瞰図（斜視図）である。
【図３】第１の実施の形態に係るペットボトルの首部を、物流段階で容器本体の内側に押し込んで格納し梱包を容易にする場合の構造の概略を模式的に説明する断面図である。
【図４】第１の実施の形態に係るペットボトルの内部の流路と、比較例に係るペットボトルの内部の流路との、それぞれの容器本体からの軸線から半径方向に測った距離を示すグラフ図である。
【図５】第１の実施の形態に係るペットボトルの内部の流路と、比較例に係るペットボトルの内部の流路との、それぞれの容器本体からの軸線から半径方向に測った距離の変化率を示すグラフ図である。
【図６】図６（ａ）→図６（ｂ）→図６（ｃ）と進むに従い、飲料物が第１の実施の形態に係るペットボトルの内部空間から逐次排出される様子の概略を、ペットボトルの一部を切り欠いて説明する時系列に沿った模式図である。
【図７】図７（ａ）→図７（ｂ）→図７（ｃ）と進むに従い、飲料物が比較例に係るペットボトルの内部空間から逐次排出される様子の概略を、ペットボトルの一部を切り欠いて説明する時系列に沿った模式図である。
【図８】第２の実施の形態に係るペットボトルの構成の概略を模式的に説明する、容器本体の軸線と飲料物の流路とを含む平面で断面した断面図である。
【図９】第２の実施の形態に係るペットボトルを模式的に説明する鳥瞰図（斜視図）である。
【図１０】第２の実施の形態の変形例に係るペットボトルの構成の概略を模式的に説明する、容器本体の軸線と飲料物の流路とを含む平面で断面した断面図である。
【発明を実施するための形態】
【０００８】
次に、図面を参照して、本発明の第１及び第２の実施の形態を説明する。以下の図面の記載において、同一又は類似の部分には同一又は類似の符号を付している。但し、図面は模式的なものであり、厚みと平面寸法との関係、各層の厚みの比率等は現実のものとは異なることに留意すべきである。したがって、具体的な厚みや寸法は以下の説明を参酌して判断すべきものである。又、図面相互間においても互いの寸法の関係や比率が異なる部分が含まれていることは勿論である。
【０００９】
又、以下に示す実施の形態は、本発明の技術的思想を具体化するための装置や方法を例示するものであって、本発明の技術的思想は、構成部品の材質、形状、構造、配置等を下記のものに特定するものではない。本発明の技術的思想は、特許請求の範囲に記載された請求項が規定する技術的範囲内において、種々の変更を加えることができる。更に、以下の説明における「左右」や「上下」の方向は、単に説明の便宜上の定義であって、本発明の技術的思想を限定するものではない。よって、例えば、紙面を９０度回転すれば「左右」と「上下」とは交換して読まれ、紙面を１８０度回転すれば「左」が「右」に、「右」が「左」になることは勿論である。
【００１０】
＜第１の実施の形態＞
−−ペットボトルの構造−−
本発明の第１の実施の形態に係るペットボトル１は、図１に示すように、筒状の内壁面を有し、飲料物を収納する胴部５と、飲料物を流出させる飲み口として、胴部５の上部に内壁面に連続して設けられた内壁面を有し、胴部５の径よりも小さな径を有する筒状の首部７と、を備える。
飲料物としては、いわゆるスポーツドリンクや清涼飲料と称される液体が採用可能であるが、流動性を有する限り、例えばゼリーのようなゲル状の流動物であってもよい。又、ペットボトル１の容量として、図１に示したものは約３５０ｍｌ程度を前提して描かれているが、１００ｍｌ、５００ｍｌ、１０００ｍｌ等他の容量であってもよく、適宜変更可能である。
【００１１】
容器本体（３，５，９）は、主面が容器本体（３，５，９）の軸方向に直交するように配置された円板状の下底部３と、下底部３の上側に下底部３に連続して設けられた略円筒状の胴部５と、この胴部５の上側に胴部５に連続して設けられ容器本体（３，５，９）の上側を覆う箱状の肩部９と、を備え、全体が箱状に構成されている。ペットボトル１の容器本体（３，５，９）及び首部７は、例えばポリエチレンテレフタラート（ＰＥＴ）で一体的に成形されている。
【００１２】
又、第１の実施の形態に係るペットボトル１の胴部５の上部の首部７の近傍には、胴部５より肉厚を薄くしてフレキシブルにした胴可動領域５ｆが、図１及び図２に示したように、選択的に設けられている。又、肩部９の上部の首部７の近傍には、肩部９より肉厚を薄くしてフレキシブルにした肩可動領域９ｆが選択的に設けられている。肩部９の肩可動領域９ｆは、第１の実施の形態に係るペットボトル１においては、上底部９２と傾斜部９１の一部とで構成されている。
【００１３】
胴部５の胴可動領域５ｆ及び肩部９の肩可動領域９ｆは、容器本体（３，５，９）を外側から首部７の軸線に沿って見たときに、それぞれ中央が欠けた扇状であり、胴可動領域５ｆ及び肩可動領域９ｆが一体化して、首部７の周囲にリング状に表れる。すなわち胴部５の胴可動領域５ｆ及び肩部９の肩可動領域９ｆは、容器本体（３，５，９）の表面上で連続して形成されている。
【００１４】
胴部５の胴可動領域５ｆ及び肩部９の肩可動領域９ｆは、容器本体（３，５，９）の他の領域より可撓性が高められればよいので、肉厚を薄くするかわりに柔軟な素材で構成されてもよい。具体的には例えば、エポキシ樹脂等の含有比率を適宜調節することにより、伸び性、内部応力及び弾性率等の特性値を高めて、胴可動領域５ｆ及び肩可動領域９ｆが柔軟で強い靭性を有するように形成することも可能である。
【００１５】
図２に示すように、平板である下底部３の外周と胴部５の内壁面との境界に形成される胴壁立ち上がり部５ａは円形の皿状に表れ、この胴壁立ち上がり部５ａから立ち上がるように、胴部５の胴壁が設けられている。下底部３の外周と胴部５の筒状の内壁面とは一様な曲線を構成するように連続している。胴部５の下部に位置する胴壁立ち上がり部５ａは、下底部３の近傍において下底部３側から肩部９側に向かうに従って、図１中の容器本体（３，５，９）の内側に一点鎖線で示す容器本体（３，５，９）の軸線（中心軸線）上の点を中心とする同心円の直径が大きくなるように、すなわち胴壁の内径が上側に向かって拡がる皿状の形状に形成されている。
【００１６】
胴壁が皿状に拡大する胴壁立ち上がり部５ａが下底部３から一定距離の間形成された後、胴部５の中央の内壁面は、皿状の拡大部分から連続して、略一定の厚みの円筒として容器本体（３，５，９）の軸線と平行な内壁面を有して立ち上がるように、肩部９の内壁面まで形成されている。図１に示すように、胴部５の容器本体（３，５，９）の軸線と平行な円筒部分の半径（最大半径）ｒ２は、平板である下底部３の半径ｒ１より大きい。胴部５の内壁面と肩部９の内壁面との境界に形成される肩壁立ち上がり部９ａは、図２に示すように略円形状に表れ、この肩壁立ち上がり部９ａから連続して立ち上がる天床部分を構成するように、肩部９の肩壁は設けられている。
【００１７】
肩部９は、図１に示すように、断面形状が略円錐台形状に表れるように形成されている。肩部９は、内壁面が胴部５の内壁面と連続する傾斜部９１と、この傾斜部９１の上側に設けられ、内壁面が傾斜部９１の内壁面と連続する上底部９２と、を有する。傾斜部９１は、胴部５側から上底部９２側に向かうに従って容器本体（３，５，９）の軸線に対して垂直な円の直径が小さくなるように、すなわち肩壁が上側に向かって窄む下向きの皿状に形成されている。上底部９２は略円板上であり、円形状の主面が下底部３の内面と略平行に設けられている。
【００１８】
首部７の円筒の外側面上には、符号の付記を省略するが雄ねじのねじ山が形成されており、首部７の雄ねじには、容器本体（３，５，９）に栓をするための、図示を省略したキャップの内面の雌ねじが嵌合する。又、ねじ山と同様に符号の付記を省略するが、図１及び図２には、開栓前のキャップと一体的に結合し開栓後はねじ山の下側に残るキャップリングも示されている。
【００１９】
図１に示すように、首部７の半径ｒ４は胴部５の円筒部分の最大半径ｒ２より小さい。又、首部７の付け根７ａの円と開放端７ｂの円とは略同径であって、２個の円は互いに正対している。すなわち首部７の内壁面と付け根７ａの円と開放端７ｂの円とで円柱が形成されている。
首部７は、肩部９の傾斜部９１上の一部の領域に、図１中の首部７の内側に一点鎖線で示した軸線（中心軸線）が容器本体（３，５，９）の軸線と角度θをなして傾斜するように、容器本体（３，５，９）に対して設けられている。又、首部７の筒壁の内壁面と肩部９の内壁面とは連続している。首部７の開放端７ｂは付け根７ａの位置より、更に容器本体（３，５，９）の径方向の外側に位置するように、容器本体（３，５，９）から半径方向の外側に突出して設けられている。
【００２０】
図２に示すように、首部７の付け根７ａの円は、首部７の筒壁の内壁面と、肩部９の傾斜部９１の内壁面が構成する皿状の２次曲面との境界に表れる。一方、首部７の付け根７ａの円と肩壁立ち上がり部９ａの円とは１点の接点７ａ１で接しており、この接点７ａ１において胴部５の内壁面と首部７の筒壁の内壁面とが連続している。
接点７ａ１から容器本体（３，５，９）の径方向の外側へ張り出すように首部７が傾斜して設けられていることにより、首部７の開放端７ｂは、付け根７ａの位置より更に径方向の外側に位置する。図１中には、首部７の軸線と容器本体（３，５，９）の軸線とが、鋭角側の角度θ＝約４５°で交差した状態が例示されている。
【００２１】
又、胴可動領域５ｆ及び肩可動領域９ｆが柔軟性を有することにより、図３に示すように、第１の実施の形態に係るペットボトル１の首部７を容器本体（３，５，９）の内側に押し込んで変位させた「格納状態」に変形させることが可能になり、ペットボトル１全体の上方及び径方向への張り出し長さを短縮し、物流段階におけるペットボトル１の梱包を容易にすることが可能になる。
【００２２】
第１の実施の形態に係るペットボトル１の場合、首部７にキャップ１０を締結した状態であっても、キャップ１０が肩部９の上底部９２の高さ以下に位置すると共に、径方向においても胴部５の最大半径ｒ２以下になるように、ペットボトル１を胴可動領域５ｆ及び肩可動領域９ｆが撓んだ「格納状態」として梱包を容易にすることができる。この結果、キャップ１０が肩部９の上面より出ていない状態になるので、第１の実施の形態に係るペットボトル１を多段に積み重ねた梱包が可能になる。
又、胴可動領域５ｆ及び肩可動領域９ｆの柔軟性は、図１に示したように、飲料物を飲む際に首部７を容器本体（３，５，９）の外側に引っ張り出して変位させた「伸長状態」に変形させると、首部７が肩部９から外側へ突出して、第１の実施の形態に係るペットボトル１の内部の飲料物の流路の谷線（５ａ１〜７ａ１〜７ｂ１）が安定的に形成されるように強度が調節されている。
【００２３】
飲料物の流路の谷線（５ａ１〜７ａ１〜７ｂ１）の「起点５ａ１」は、図１中のペットボトル１の内部の白抜き矢印又は図２中のペットボトル１の内部の点線で模式的に示したように、胴壁立ち上がり部５ａの下端に位置し下底部３の円に相当する円上の点で、下底部３の内面と胴部５の内壁面との境界位置に設けられている。図２に示すように、起点５ａ１は、首部７の付け根７ａの円と肩壁立ち上がり部９ａの円との接点７ａ１を通り、胴部５の内壁面上で容器本体（３，５，９）の軸線に平行な直線が、胴部５の半径方向に向かって胴壁立ち上がり部５ａの曲面上に投影されて形成される曲線と、下底部３の円とが交わる点として定義される。又、流路の谷線（５ａ１〜７ａ１〜７ｂ１）の「中間点」は、付け根７ａの円と肩壁立ち上がり部９ａの円との接点７ａ１である。
【００２４】
又、流路の谷線（５ａ１〜７ａ１〜７ｂ１）の「終点７ｂ１」は、首部７の開放端７ｂの円上の点であって、「中間点７ａ１」を通り首部７の軸線に平行な円筒の母線が、開放端７ｂの円と交わる点として定義される。流路の谷線（５ａ１〜７ａ１〜７ｂ１）の「中間点７ａ１」は、「起点５ａ１」より容器本体（３，５，９）の軸線から半径方向に測った距離（半径距離ｒ）が長い位置に設けられると共に、流路の谷線（５ａ１〜７ａ１〜７ｂ１）の「終点７ｂ１」は、「中間点７ａ１」より容器本体（３，５，９）の軸線からの半径距離ｒが長い位置に設けられる。
【００２５】
第１の実施の形態に係るペットボトル１の流路の谷線（５ａ１〜７ａ１〜７ｂ１）の、容器本体（３，５，９）の軸線からの半径距離ｒは、図４中に実線で示した曲線Ｌ１のように、まず、測定位置ｘが、胴壁立ち上がり部５ａの起点５ａ１の位置から胴壁に移行することにより、ｒ１からｒ２に増加する。その後、円筒の母線上では軸線からの半径距離ｒは、中間点７ａ１までは一定値ｒ２である。
【００２６】
流路の谷線の容器本体（３，５，９）の軸線からの半径距離ｒは、測定位置ｘが付け根７ａから首部７に移行し、首部７の外側へ張り出す内壁面上であって、中間点７ａ１と開放端７ｂ（終点７ｂ１）との間では、一定の割合（傾き）で増加し、終点７ｂ１においてｒ３に至る（ｒ１→ｒ２→ｒ３、ｒ１＜ｒ２＜ｒ３）。すなわち「終点７ｂ１」は、流路中の他のいずれの点よりも容器本体（３，５，９）の軸線から遠い位置に設けられ、容器本体（３，５，９）の軸線からの最大離間距離を有する。
【００２７】
第１の実施の形態に係るペットボトル１の流路の谷線（５ａ１〜７ａ１〜７ｂ１）の軸中心からの微小な半径距離ｄｒの、軸に沿った微小な距離ｄｘに対する変化率（微分係数）（ｄｒ／ｄｘ）は、図５中に実線で示した曲線Ｌｄ１のように、胴壁立ち上がり部５ａの起点５ａ１の位置の値が最も大きく、起点５ａ１から胴壁の円筒部分までは大きな傾きで減少し、胴壁の母線上で零（ゼロ）に至る。その後、変化率ｄｒ／ｄｘは、中間点７ａ１までは零のままであるが、首部７に移行した後、首部７の内壁の母線上で中間点７ａ１と終点７ｂ１との間では、一定の正の値である。すなわち第１の実施の形態に係るペットボトル１の、胴部５の内壁面上と首部７の内壁面上とに亘って形成される飲料物の流路（５ａ１〜７ａ１〜７ｂ１）の谷線の、容器本体（３，５，９）の軸線からの微小な半径距離ｒの、起点５ａ１から終点７ｂ１に向かう方向の変化率（ｄｒ／ｄｘ）は、常に零以上である。
【００２８】
次に比較例に係るペットボトルの流路の、容器本体の軸線からの微小な半径距離ｒの変化率（ｄｒ／ｄｘ）を説明する。まず比較例に係るペットボトル１１は、図７（ａ）〜（ｃ）に示すように、第１の実施の形態に係るペットボトル１の容器本体（３，５，９）及び首部７と同様に、容器本体（３，５，１９）及び首部７を備える。比較例に係るペットボトル１１の容器本体（３，５，１９）をなす下底部３及び胴部５、並びに首部７の構造は、第１の実施の形態に係るペットボトル１において同じ符号を付した部材とそれぞれ等価である。
【００２９】
しかし比較例に係るペットボトル１１の肩部１９は、第１の実施の形態に係るペットボトル１の傾斜部９１に対応する傾斜部のみを有し、この傾斜部から連続して、軸線（中心軸線）が容器本体（３，５，１９）の軸線（中心軸線）と同軸上に位置するように首部７が容器本体（３，５，１９）の上部に設けられている。すなわち比較例に係るペットボトル１１は、首部７が肩部１９の図１に示した上底部９２に相当する位置に設けられており、容器本体（３，５，１９）の軸線に対して対称的な形状を有する通常のペットボトルである。
【００３０】
比較例に係るペットボトル１１の流路の谷線（５ａ１〜１９ａ１〜７ａ１〜７ｂ１）は、第１の実施の形態に係るペットボトル１の流路の谷線（５ａ１〜７ａ１〜７ｂ１）と同様に、「起点５ａ１」が胴壁立ち上がり部５ａの下端に位置し下底部３の円に相当する円上にあり、「中間点７ａ１」が首部７の付け根７ａの円上にあり、「終点７ｂ１」が開放端７ｂの円上にある。比較例に係るペットボトル１１の流路の谷線（５ａ１〜１９ａ１〜７ａ１〜７ｂ１）には、「起点５ａ１」と「中間点７ａ１」との間で、肩壁立ち上がり部１９ａの円上に位置する移行点１９ａ１が含まれている。
【００３１】
移行点１９ａ１において、比較例に係るペットボトル１１の内壁面は胴部５から肩部１９に移行するが、肩部１９の内壁面上における流路の谷線（５ａ１〜１９ａ１〜７ａ１〜７ｂ１）上の点は、胴部５の円筒部分の内壁面上の点よりも、容器本体（３，５，１９）の軸線に近づく。すなわち比較例に係るペットボトル１１の流路の谷線（５ａ１〜１９ａ１〜７ａ１〜７ｂ１）の場合、流路の途中の肩部１９の傾斜部において飲料物２の流動の方向に対向して、飲料物２の首部７側への流動を妨げる段差（凹部）Ｓが形成されている。
【００３２】
比較例に係るペットボトル１１の流路の谷線（５ａ１〜１９ａ１〜７ａ１〜７ｂ１）の、容器本体（３，５，１９）の軸線からの半径距離ｒは、図４中に破線で示した曲線Ｌ２のように、まず、起点５ａ１の位置から胴壁の拡大部分に移行することにより、曲線Ｌ１と同様に、ｒ１からｒ２に増加する。その後、軸線からの半径距離ｒは、胴部５の円筒部分の母線上では、移行点１９ａ１までは一定値ｒ２であるが、測定位置ｘが移行点１９ａ１から肩部１９に移行し、肩部１９の傾斜部の内壁面上で、移行点１９ａ１と中間点７ａ１との間では、傾斜部の傾斜角度に応じて減少し、中間点７ａ１において、付け根７ａの円の半径ｒ４の値に至る。
【００３３】
そして中間点７ａ１と終点７ｂ１との間では、首部７の円筒の母線に沿って、流路の谷線（５ａ１〜１９ａ１〜７ａ１〜７ｂ１）の容器本体（３，５，１９）の軸線からの半径距離ｒは、半径ｒ４の値のまま一定である。すなわち比較例の流路の谷線（５ａ１〜１９ａ１〜７ａ１〜７ｂ１）の軸線からの半径距離ｒは、ｒ１→ｒ２→ｒ４（ｒ４＜ｒ１＜ｒ２）と変化する。
【００３４】
又、比較例に係るペットボトル１１の流路の谷線（５ａ１〜１９ａ１〜７ａ１〜７ｂ１）の、軸中心からの微小な半径距離ｄｒの軸に沿った微小な距離ｄｘに対する変化率（ｄｒ／ｄｘ）は、図５中に破線で示した曲線Ｌｄ２のように、起点５ａ１の位置の値が最も大きく、測定位置ｘが皿状の胴壁立ち上がり部５ａ上であって、胴壁の円筒部分に移行するまでは大きな傾きで減少し、皿状部分と円筒部分との結合部で零に至る。
【００３５】
その後、変化率ｄｒ／ｄｘは胴部５の円筒の母線に沿って移行点１９ａ１までは零のままであるが、移行点１９ａ１から肩部１９に移行し、肩部１９の傾斜部の内壁面上で、移行点１９ａ１と中間点７ａ１との間では、再び減少し、零から負（マイナス）の値を取る。変化率ｄｒ／ｄｘは、首部７の中間点７ａ１で負から零に転じ、以降、首部７の母線に沿って終点７ｂ１までは零のままである。
【００３６】
すなわち比較例に係るペットボトル１１の、流路の谷線（５ａ１〜１９ａ１〜７ａ１〜７ｂ１）の起点５ａ１から終点７ｂ１までの間の途中には、容器本体（３，５，１９）の軸線からの微小な半径距離ｄｒの、起点５ａ１から終点７ｂ１に至る軸上の微小な距離ｄｘに対する変化率（ｄｒ／ｄｘ）の微分値が、負となる段差Ｓが形成されている。これに対し第１の実施の形態に係るペットボトル１の流路には、流路の谷線（５ａ１〜７ａ１〜７ｂ１）の、容器本体（３，５，９）の軸線からの微小な半径距離ｄｒの、起点５ａ１から終点７ｂ１に至る軸上の微小な距離ｄｘに対する変化率（ｄｒ／ｄｘ）には負（マイナス）の値が含まれていない。
【００３７】
−−ペットボトルの使用方法−−
次に、第１の実施の形態に係るペットボトル１の使用方法を説明する。開栓前に予めペットボトル１の内部に収納されていた飲料物の容量の、例えば９割程度のように大部分は既に外部に流出しており、内部には一口で飲み終わる程度の僅かな量の飲料物が残留しているものとする。
まず図６（ａ）に示すように、第１の実施の形態に係るペットボトル１を容器本体（３，５，９）の軸線及び胴部５の内壁面上の流路が水平になると共に、胴部５の内壁面において流路が最も下側に位置するように傾ける。このときペットボトル１の首部７は、軸線が容器本体（３，５，９）の水平方向に延びる軸線に対して下側に角度θ＝４５°の俯角をなすように開口する。
【００３８】
傾ける前に第１の実施の形態に係るペットボトル１の内部に残留していた僅かな飲料物２は、ペットボトル１を水平に傾ける際の勢いで、胴部５の内壁面上を起点５ａ１側から中間点７ａ１を経由して終点７ｂ１側へと移動する。付け根７ａに到達した飲料物２は、更に重力の作用が加わって、首部７の内壁面上を流れ落ち、終点７ｂ１を経由して外部に流れ出る。起点５ａ１から終点７ｂ１までの飲料物２の流路の谷線（５ａ１〜７ａ１〜７ｂ１）上には、飲料物２の流動を堰き止める堤をなすような段差Ｓが一切存在しないので、飲料物２が僅かな量であっても滞留することなく円滑に流れ出る。
【００３９】
次に、図６（ｂ）に示すように、容器本体（３，５，９）の下底部３を僅かに上側に持ち上げてペットボトル１を傾ける。図６（ｂ）中には、容器本体（３，５，９）の軸線が、水平状態から５°程度傾斜した状態が例示されている。このとき飲料物２の流路の谷線（５ａ１〜７ａ１〜７ｂ１）上には、飲料物２の流動を堰き止める凹部Ｓが一切存在しないので、ペットボトル１を僅かな角度だけ付加的に傾斜させることで、胴部５の内壁面上に僅かな飲料物２が摩擦力等によって仮に残っていても、残った飲料物２を、中間点７ａ１を超えさせて首部７側に送り出し、外部に円滑に流出させることが可能になる。そしてペットボトル１の内部から飲料物２全体を略完全に排出することが可能になる。
【００４０】
その後、図６（ｃ）に示すように、持ち上げていた下底部３を引き下げ、図６（ａ）の状態と同様に第１の実施の形態に係るペットボトル１を、容器本体（３，５，９）の軸線が水平となる位置に復元しても、容器本体（３，５，９）及び首部７の内壁面上には残渣が滞留しない。
一方、比較例に係るペットボトル１１の場合、図７（ａ）に示すように、ペットボトル１１を容器本体（３，５，１９）の軸線が水平になるように傾けても、ペットボトル１１の首部７は、開放端７ｂの円が容器本体（３，５，１９）の水平方向に延びる軸線に直交し、首部７の軸線の容器本体（３，５，１９）の軸線に対する俯角は零である。
【００４１】
このとき比較例に係るペットボトル１１の内部に残留していた僅かな飲料物２は、第１の実施の形態に係るペットボトル１の場合と同様に、ペットボトル１１を水平に傾ける際の勢いで、胴部５の内壁面上を起点５ａ１側から中間点７ａ１を経由して終点７ｂ１側へと移動するが、ペットボトル１１の肩部１９が、胴部５と首部７との間の高さを有する段差Ｓを構成し、飲料物２の首部７側への流動を妨げる。そのため、流路の谷線（５ａ１〜１９ａ１〜７ａ１〜７ｂ１）上で起点５ａ１と中間点７ａ１との間に滞留する飲料物２の量は、図６（ａ）の場合と比べ、圧倒的に多くなる。
【００４２】
次に図７（ｂ）に示すように、容器本体（３，５，１９）の下底部３を、図６（ｂ）に示した角度（５°程度）よりも遥かに大きくなるように、上側に持ち上げる。図７（ｂ）中には、容器本体（３，５，１９）の軸線が、水平状態から４５°程度傾斜した状態が例示されている。ペットボトル１１を大きく傾斜させることで、流路の谷線（５ａ１〜１９ａ１〜７ａ１〜７ｂ１）上に滞留した飲料物２を、中間点７ａ１を超えさせて終点７ｂ１側へと移動させ、開放端７ｂを経由して外部に流出させることになる。
【００４３】
しかし、下底部３を持ち上げる高さが十分でない場合、或いは持ち上げた高さを保持する時間が、飲料物２全体を排出するのに十分な長さでない場合には、図７（ｂ）中の肩壁立ち上がり部９ａと付け根７ａとの間に形成された凹部Ｓのように、流路の谷線（５ａ１〜１９ａ１〜７ａ１〜７ｂ１）上の付け根７ａの手前側に形成された領域に、飲料物２の一部が滞留する。そのため図７（ｃ）に示すように、持ち上げていた下底部３を引き下げて、ペットボトル１１を軸線が水平となる位置に復元すると、凹部Ｓに滞留していた飲料物２が、残渣としてペットボトル１１の内部に滞留する。
【００４４】
第１の実施の形態に係るペットボトル１によれば、内壁面上における飲料物２の流路の谷線（５ａ１〜７ａ１〜７ｂ１）上の起点５ａ１から終点７ｂ１までの間に、飲料物２の流動を堰き止める堤をなす段差Ｓが一切存在しないので、僅かな量の飲料物２であっても内部に滞留することなく、外部に円滑に流れ出ることが可能になる。よって、ペットボトル１の内部の残渣の発生量を従来に比して格段に低下させ、資源の無駄を抑制すると共に、集積所や保管場所での悪臭や衛生上の問題を大きく改善することができる。
【００４５】
又、第１の実施の形態に係るペットボトル１によれば、首部７の開放端７ｂが、「伸長状態」においては容器本体（３，５，９）の内壁面より径方向の外側に位置するように、容器本体（３，５，９）から外側に突出して設けられているため、容器本体（３，５，９）の軸線を水平状態に傾斜させる、或いは水平状態から下底部３を僅かな角度だけ上側に傾斜させるだけで、内部の飲料物２を容易に外部へ流出できる。そのため、ペットボトル１を大きく傾斜させる手間や時間が不要となり、傾斜させる際の飲み手の疲労を軽減させることができる。
【００４６】
又、第１の実施の形態に係るペットボトル１によれば、柔軟な胴部５の胴可動領域５ｆ及び肩部９の肩可動領域９ｆを用いて首部７を容器本体（３，５，９）の内側に格納することにより、「格納状態」においてはペットボトル１全体の上方及び径方向への張り出し長さを短縮することが可能になるので、例えば複数のペットボトル１をまとめて多段に積み重ねて集積しても全体が嵩張らず、収納性や運搬性を高めることができるので物流が容易になる。
【００４７】
＜第２の実施の形態＞
次に、本発明の第２の実施の形態に係るペットボトル２１を説明する。第２の実施の形態に係るペットボトル２１は、図８に示すように、内部に飲料物２を収納して蓄える箱状の容器本体（３，５，２９）と、軸方向の両端が開口し、容器本体（３，５，２９）と反対側の開口部を開放端７ｂとして容器本体（３，５，２９）の上部に設けられた筒状の首部７と、を備える。首部７は、容器本体側の開口部（付け根）７ａが容器本体（３，５，２９）の内壁面に開口するように、容器本体（３，５，２９）の内壁面に連続して取り付けられ、容器本体（３，５，２９）及び首部７は、ＰＥＴで一体的に成形されている。又、飲料物２としては、流動性を有する液体やゲル状の流動物が採用可能である。
【００４８】
第２の実施の形態に係るペットボトル２１の容器本体（３，５，２９）をなす下底部３及び胴部５、並びに首部７の構造は、第１の実施の形態に係るペットボトル１におけるそれぞれ同名の部材と等価な構造である。一方、第２の実施の形態に係るペットボトル２１の肩部２９は、図８に示すように、母線が湾曲した略円錐台形状に構成されている。肩部２９は、内壁面が胴部５の内壁面と連続する傾斜部２９１と、この傾斜部２９１の上側に設けられ内壁面が傾斜部９１の内壁面と連続する上底部２９２と、を有する。
【００４９】
傾斜部２９１は、胴部５側から上底部９２側に向かうに従って容器本体（３，５，２９）の軸線上の点を中心とする同心円の直径が小さくなるように、すなわち肩壁が上側に向かって窄むように形成されている。上底部９２は略円板上であり、円形状の主面が下底部３の内面と略平行に設けられている。
第２の実施の形態に係るペットボトル２１の首部７は、肩部２９の傾斜部２９１の一部の領域と、この一部の領域に連続する上底部２９２の一部の領域上に跨って設けられ、首部７の軸線は容器本体（３，５，２９）の軸線と平行であるように設けられている点が、第１の実施の形態に係るペットボトル１と異なる。
【００５０】
すなわち第２の実施の形態に係るペットボトル２１の首部７は、第１の実施の形態に係るペットボトル１のように、容器本体（３，５，２９）の胴部５の胴壁から容器本体（３，５，２９）の径方向の外側に突出して位置するように傾斜せず、開放端７ｂの円は、肩部２９の上底部２９２の主面及び下底部３の主面といずれも平行に設けられている。又、図８中の白抜き矢印で模式的に示したように、第２の実施の形態に係るペットボトル２１の内部の飲料物２の流路の谷線（２５ａ１〜２９ａ１〜７ａ１〜７ｂ１）においては、首部７の付け根７ａの中間点７ａ１と開放端７ｂの終点７ｂ１との２点が同一直線上に位置している。
第２の実施の形態に係るペットボトル２１の他の構造については、第１の実施の形態に係るペットボトル１において、同一又は類似する符号を付した部材と等価であるため、重複説明を省略する。
【００５１】
第２の実施の形態に係るペットボトル１の飲料物２の流路の谷線（２５ａ１〜２９ａ１〜７ａ１〜７ｂ１）の、容器本体（３，５，２９）の軸線からの半径距離ｒは、第１の実施の形態に係るペットボトル１の場合と同様に、測定位置ｘが起点５ａ１の位置から胴壁の拡大部分に移行することにより、半径ｒ１から半径ｒ２に増加すると共に、胴部５の円筒部分上では、中間点７ａ１までは半径ｒ２の一定値である。
その後、付け根７ａから首部７に移行しても、中間点７ａ１と終点７ｂ１とが同一直線上に位置するため、流路の軸線からの半径距離ｒはｒ２のままであり、この半径ｒ２の距離が第２の実施の形態に係るペットボトル２１の、容器本体（３，５，２９）の軸線からの最大離間距離をなす。第２の実施の形態に係るペットボトル２１の流路の谷線（２５ａ１〜２９ａ１〜７ａ１〜７ｂ１）の、軸線からの半径距離ｒは、ｒ１→ｒ２（ｒ１＜ｒ２）と変化する。
【００５２】
又、第２の実施の形態に係るペットボトル２１の流路の谷線（２５ａ１〜２９ａ１〜７ａ１〜７ｂ１）の、軸中心からの微小な半径距離ｄｒの変化率（ｄｒ／ｄｘ）は、第１の実施の形態に係るペットボトル１の場合と同様に、起点５ａ１の位置の値が最も大きく、胴壁立ち上がり部５ａから胴部５の円筒部分までは大きな傾きで減少し、胴部５の円筒部分で零（ゼロ）に至る。その後、測定位置ｘが付け根７ａから首部７に移行しても、中間点７ａ１と終点７ｂ１とが同一直線上に位置するため、変化率ｄｒ／ｄｘは零のままである。よって、第２の実施の形態に係るペットボトル２１の飲料物２の流路の谷線（２５ａ１〜２９ａ１〜７ａ１〜７ｂ１）の、起点５ａ１から終点７ｂ１に向かう方向の、容器本体（３，５，２９）の軸中心からの微小な半径距離ｄｒの変化率（ｄｒ／ｄｘ）は、第１の実施の形態に係るペットボトル１の場合と同様に、常に零以上である状態が達成される。
【００５３】
このように第２の実施の形態に係るペットボトル２１においても、飲料物２の流路の谷線の起点５ａ１から終点７ｂ１までの間における、容器本体（３，５，２９）の軸中心からの微小な半径距離ｄｒの変化率（ｄｒ／ｄｘ）が常に零以上であるように構成されているので、第１の実施の形態に係るペットボトル１の場合と同様に、流路の谷線（２５ａ１〜２９ａ１〜７ａ１〜７ｂ１）上に飲料物２の流動を堰き止める堤をなす段差Ｓが存在しない。よって第２の実施の形態に係るペットボトル２１を使用する際には、図６（ａ）〜図６（ｃ）で示した場合と同様に、流路の谷線（２５ａ１〜２９ａ１〜７ａ１〜７ｂ１）を下側に位置させた状態でペットボトル１を僅かに傾斜させれば、内部に残渣を滞留させることなく、飲料物２を円滑に外部へ流出させることが可能となる。
【００５４】
又、第２の実施の形態に係るペットボトル２１の他の効果については、第１の実施の形態に係るペットボトル１の場合と同様である。又、第２の実施の形態に係るペットボトル２１においても、図３に示した第１の実施の形態に係るペットボトル１の場合と同様に、胴部２５に柔軟な胴可動領域を選択的に設けると共に、肩部２９に柔軟な肩可動領域を選択的に設けて、首部７を容器本体（３，５，２９）の内側に格納し、ペットボトル２１全体の外側への張り出し長さを短縮して、物流段階におけるペットボトル１の梱包を容易にするように構成できる。
【００５５】
（第２の実施の形態に係るペットボトルの変形例）
図８に示した第２の実施の形態に係るペットボトル２１の場合では、容器本体（３，５，２９）の外形が円筒状であるペットボトルの場合を例にして本発明を説明したが、本発明は、円筒以外の外形を有するペットボトルにおいても適用可能である。例えば図９に示すように、容器本体（３３，３５，３９）が略角筒状のペットボトル３１であっても、本発明を適用できる。
変形例に係るペットボトル３１の容器本体（３３，３５，３９）は、略正方形をなす板状の下底部３、四角柱状の胴部５及び頂点が、下底部３の正方形の重心から一つの辺側に偏心した四角錐台形状の肩部３９を有し、肩部３９の上側に肩部３９に連続して、第２の実施の形態に係るペットボトル２１の首部７と等価な構成の首部７が設けられている。
【００５６】
図１０に示すように、容器本体（３３，３５，３９）の胴部３５は、下底部３の外周から主面に対して略直角に立ち上がるように設けられ、胴部３５の下部は胴壁の内径が上側に向かって拡がることなく、胴壁立ち上がり部３５ａから肩部３９に向かって連続して、略一定の厚みで容器本体（３３，３５，３９）の軸線と平行に形成されている。胴壁立ち上がり部３５ａ及び肩壁立ち上がり部３９ａは、いずれも略正方形状に表れる。
【００５７】
肩部３９の四角錐台形の４個の側壁のうち図９中の左下側に表れる略三角形状の１個の側壁は、下底部３３から略直角に立ち上がる胴部３５の４個の胴壁のうち図９中の左下側に表れる略三角形状の１個の胴壁と連続して、平坦な外壁面及び内壁面を一体的に形成するように設けられている。又、肩部３９の四角錐台形の上底部分に首部７が、軸線が容器本体（３３，３５，３９）の軸線と平行になるように偏心して設けられ、首部７の内壁面のうち容器本体（３３，３５，３９）の軸線から最も遠い位置の領域と、肩部３９の胴部３５と平坦に連続する側壁の内壁面とが連続して、図９中に点線で示した１本の直線状の飲料物の流路の谷線（３５ａ１〜３９ａ１〜７ａ１〜７ｂ１）が形成されている。
変形例に係るペットボトル３１の他の構造については、第２の実施の形態に係るペットボトル２１において、同一又は類似する符号を付した部材と等価であるため、重複説明を省略する。
【００５８】
変形例に係るペットボトル３１においては、飲料物２の流路の谷線（３５ａ１〜３９ａ１〜７ａ１〜７ｂ１）の胴壁立ち上がり部５ａ上の起点５ａ１、首部７の付け根７ａ上の中間点７ａ１及び開放端７ｂ上の終点７ｂ１の３点が同一直線上に配置されていることにより、流路の容器本体（３３，３５，３９）の軸線からの半径距離ｒは、起点５ａ１から終点７ｂ１まで、容器本体（３３，３５，３９）の軸線から半径方向に測った半径ｒ１のまま一定である。この半径ｒ１の距離が、変形例に係るペットボトル３１の流路の谷線（３５ａ１〜３９ａ１〜７ａ１〜７ｂ１）の、容器本体（３３，３５，３９）の軸線からの最大離間距離をなす。
【００５９】
又、変形例に係るペットボトル３１の流路の谷線（３５ａ１〜３９ａ１〜７ａ１〜７ｂ１）の軸中心からの微小な半径距離ｄｒの、軸に沿った微小な距離ｄｘに対する変化率（ｄｒ／ｄｘ）は、起点５ａ１と終点７ｂ１の間において零のみである。そして、流路の谷線（３５ａ１〜３９ａ１〜７ａ１〜７ｂ１）上に飲料物２の流動を堰き止める堤をなす段差が存在しないので、変形例に係るペットボトル３１の内側において、流路の谷線を下側に位置させた状態で、変形例に係るペットボトル３１の下底部３３側を僅かに上側に傾斜させれば、内部に残渣を滞留させることなく、飲料物２を円滑に外部へ流出させることが可能となる。
【００６０】
又、変形例に係るペットボトル３１の他の効果については、第１の実施の形態に係るペットボトル１及び第２の実施の形態に係るペットボトル２１の場合と同様である。又、変形例に係るペットボトル３１においても、図３に示した第１の実施の形態に係るペットボトル１の場合と同様に、胴部３５に柔軟な胴可動領域を選択的に設けると共に、肩部３９に柔軟な肩可動領域を選択的に設けて、首部７を容器本体（３３，３５，３９）の内側に格納し、ペットボトル３１全体の外側への張り出し長さを短縮して、物流段階におけるペットボトル１の梱包を容易にするように構成できる。
【００６１】
（その他の実施の形態）
本発明は上記の実施の形態によって説明したが、この開示の一部をなす論述及び図面は、本発明を限定するものであると理解すべきではない。この開示から当業者には様々な代替実施の形態、実施例及び運用技術が明らかになると考えられるべきである。
例えば、第１及び第２の実施の形態の場合、胴部５，２５，３５の上に円錐台形状又は角錐台形状の肩部９，２９，３９が設けられたペットボトル１，２１，３１を例として本発明を説明したが、肩部９，２９，３９は必須ではなく、胴部５，２５，３５の平坦な上端部に首部７が直接取り付けられる構成であっても本発明を構成可能である。
【００６２】
又、第１の実施の形態に係るペットボトル１では、流路の谷線（５ａ１〜７ａ１〜７ｂ１）の軸中心からの微小な半径距離ｄｒの、軸に沿った微小な距離ｄｘに対する変化率（ｄｒ／ｄｘ）は、起点５ａ１と終点７ｂ１との間で正の値をなす領域が１箇所だけであった。しかしこれに限定されることなく、正の値をなす領域が２箇所以上形成されるように、胴部５の内壁面及び首部７の内壁面の形状を適宜変更して、本発明に係るペットボトルを構成してもよい。
又、本発明は、上記した第１及び第２の実施の形態並びに変形例において開示した構造のそれぞれの一部を互いに組み合わせて構成することもできる。以上のとおり本発明は、本明細書及び図面に記載していない様々な実施の形態等を含むとともに、本発明の技術的範囲は、上記の説明から妥当な特許請求の範囲に係る発明特定事項によってのみ定められるものである。
【符号の説明】
【００６３】
１        ペットボトル
２        飲料物
３        下底部
５        胴部
５ａ      胴壁立ち上がり部
５ａ１    起点
５ｆ      胴可動領域
７        首部
７ａ      付け根
７ａ１    中間点
７ｂ      開放端
７ｂ１    終点
９        肩部
９ａ      肩壁立ち上がり部
９ａ１    移行点
９ｆ      肩可動領域
１０      キャップ
１１      ペットボトル
１９      肩部
１９ａ    肩壁立ち上がり部
１９ａ１  移行点
２１      ペットボトル
２９      肩部
２９ａ    肩壁立ち上がり部
２９ａ１  移行点
３１      ペットボトル
３３      下底部
３５      胴部
３５ａ    胴壁立ち上がり部
３５ａ１  起点
３９      肩部
３９ａ    肩壁立ち上がり部
３９ａ１  移行点
９１      傾斜部
９２      上底部
２９１    傾斜部
２９２    上底部
Ｓ        段差（凹部）
【図１】
2017128376.tif 000003
【図２】
2017128376.tif 000004
【図３】
2017128376.tif 000005
【図４】
2017128376.tif 000006
【図５】
2017128376.tif 000007
【図６】
2017128376.tif 000008
【図７】
2017128376.tif 000009
【図８】
2017128376.tif 000010
【図９】
2017128376.tif 000011
【図１０】
2017128376.tif 000012